(57)【要約】【課題】点光源の光量を有効に利用して高い読取性能を得ることができる画像読取装置を提供すること。【解決手段】原稿面に向かって光を出射するＬＥＤ光源（点光源）２２と、該ＬＥＤ光源２２から出射される光を原稿面に導くための導光体２３と、前記ＬＥＤ光源２２から出射される光のうち前記導光体２３を通過しない光（間接光）Ｌ’を原稿面に導くための反射板２４と、原稿面で反射した反射光Ｌ”を読み取る光電変換素子を有する画像読取装置において、前記ＬＥＤ光源２２を、該ＬＥＤ光源２２からの光の出射方向が前記導光体２３の中心光軸Ｏに対して前記反射板２４側に角度θだけ傾斜するよう傾けて配置する。【選択図】図３
2008035043.tif 000002
【特許請求の範囲】
【請求項１】
原稿面に向かって光を出射する点光源と、該点光源から出射される光を原稿面に導くための導光体と、前記点光源から出射される光のうち前記導光体を通過しない光を原稿面に導くための反射板と、原稿面で反射した反射光を読み取る光電変換素子を有する画像読取装置において、
前記点光源を、該点光源からの光の出射方向が前記導光体の中心光軸に対して前記反射板側に傾斜するよう傾けて配置したことを特徴とする画像読取装置。
【請求項２】
前記点光源を前記導光体の中心光軸上に配置したことを特徴とする請求項１記載の画像読取装置。
【請求項３】
前記点光源を前記導光体の中心光軸から前記反射板側にオフセットした位置に配置したことを特徴とする請求項１記載の画像読取装置。
【請求項４】
原稿面に向かって光を出射する点光源と、該点光源から出射される光を原稿面に導くための導光体と、前記点光源から出射される光のうち前記導光体を通過しない光を原稿面に導くための反射板と、原稿面で反射した反射光を読み取る光電変換素子を有する画像読取装置において、
前記点光源を、前記導光体の中心光軸に対して平行に前記反射板側にオフセットした位置に配置したことを特徴とする画像読取装置。
【請求項５】
前記導光体をシリンダ型としたことを特徴とする請求項１〜４の何れかに記載の画像読取装置。
【請求項６】
前記請求項１〜５の何れかに記載の画像読取装置と、該画像読取装置によって読み取られた画像データに基づいて記録材上に画像を形成する画像形成手段を有することを特徴とする画像形成装置。
【発明の詳細な説明】
【技術分野】
【０００１】
本発明は、光によって原稿を走査して光電変換素子によって画像を読み取る画像読取装置とこれを備える複写機、プリンタ、ファクシミリ等の画像形成装置に関するものである。
【背景技術】
【０００２】
電子写真方式を採用する複写機やレーザービームプリンタ等の画像形成装置においては、コンタクトガラス上に載置された原稿を光走査して読み取る画像読取装置が設けられており、この画像読取装置によって読み取られた画像データに基づいて画像が画像形成手段によって用紙等の記録材上に形成される。ここで、画像形成手段には、感光ドラム、現像装置、転写装置、定着装置等の各種プロセス機器が含まれる。
【０００３】
ところで、画像読取装置は、原稿面に向かって光を出射する点光源と、該点光源から出射される光を原稿面に導くための導光体と、前記点光源から出射される光のうち前記導光体を通過しない光を原稿面に導くための反射板と、原稿面で反射した反射光を読み取る光電変換素子を含んで構成されている。この種の原稿読取装置の点光源としてはＬＥＤ等が使用されている。
【０００４】
而して、ＬＥＤ等の点光源は、蛍光灯等の棒状光源に比して光量が少ないため、照射方向について十分な考慮を払わないと光量不足を招き易いという欠点を有している。
【０００５】
そこで、複数のＬＥＤを略直線上に配列して成るＬＥＤアレイと、このＬＥＤアレイから出射する光束をＬＥＤの配列方向に対して垂直方向に集光させるレンズを用いることによって、点光源であるＬＥＤの光量を有効に利用する提案がなされている（特許文献１参照）。
【特許文献１】特開２００４−１５７２１３号公報
【発明の開示】
【発明が解決しようとする課題】
【０００６】
しかしながら、特許文献１に記載された構成では、図６に示すように、ＬＥＤ光源１２２が導光体であるレンズ１２３の光軸Ｏ上に配置されるとともに、該ＬＥＤ光源１２２からの光の出射方向がレンズ１２３の光軸方向に一致していたため、ＬＥＤ光源１２２から図示の（α＋β＋γ）の角度範囲に出射された光のうち、レンズ１２３を通過しない間接光Ｌ’がレンズ１２３の両側に図示のβ，γの角度範囲に存在する。これらの間接光Ｌ’のうちβの角度範囲の光は、反射板１２４によって反射して画像読取位置Ｘに向けて照射されて画像の読み取りに供されるが、γの角度範囲の間接光Ｌ’は画像の読み取りに有効に利用されないため、ＬＥＤ光源１２２の光量の全てが有効に利用されず、画像の読取性能が低下するという問題があった。尚、ＬＥＤ光源１２２から出射されてレンズ１２３を通過するαの角度範囲の光を直接光Ｌと称する。又、図６において、１２１はコンタクトガラス、１２５はミラーである。
【０００７】
本発明は上記問題に鑑みてなされたもので、その目的とする処は、点光源の光量を有効に利用して高い読取性能を得ることができる画像読取装置とこれを備えた画像形成装置を提供することにある。
【課題を解決するための手段】
【０００８】
上記目的を達成するため、請求項１記載の発明は、原稿面に向かって光を出射する点光源と、該点光源から出射される光を原稿面に導くための導光体と、前記点光源から出射される光のうち前記導光体を通過しない光を原稿面に導くための反射板と、原稿面で反射した反射光を読み取る光電変換素子を有する画像読取装置において、前記点光源を、該点光源からの光の出射方向が前記導光体の中心光軸に対して前記反射板側に傾斜するよう傾けて配置したことを特徴とする。
【０００９】
請求項２記載の発明は、請求項１記載の発明において、前記点光源を前記導光体の中心光軸上に配置したことを特徴とする。
【００１０】
請求項３記載の発明は、請求項１記載の発明において、前記点光源を前記導光体の中心光軸から前記反射板側にオフセットした位置に配置したことを特徴とする。
【００１１】
請求項４記載の発明は、原稿面に向かって光を出射する点光源と、該点光源から出射される光を原稿面に導くための導光体と、前記点光源から出射される光のうち前記導光体を通過しない光を原稿面に導くための反射板と、原稿面で反射した反射光を読み取る光電変換素子を有する画像読取装置において、前記点光源を、前記導光体の中心光軸に対して平行に前記反射板側にオフセットした位置に配置したことを特徴とする。
【００１２】
請求項５記載の発明は、請求項１〜４の何れかに記載の発明において、前記導光体をシリンダ型としたことを特徴とする。
【００１３】
請求項６記載の発明は、前記請求項１〜５の何れかに記載の画像読取装置と、該画像読取装置によって読み取られた画像データに基づいて記録材上に画像を形成する画像形成手段を含んで画像形成装置を構成したことを特徴とする。
【発明の効果】
【００１４】
請求項１〜４記載の発明によれば、点光源から出射された光のうち導光体を通過しない光（間接光）の殆どが反射板に向かい、該反射板によって反射して原稿面へと照射されて画像の読み取りに有効に利用されるため、点光源の光量の殆ど全てを有効に利用して高い読取性能を確保することができる。又、点光源の傾斜角又はオフセット量を適当に設定することによって、導光体を通過する直接光と導光体を通過しない間接光の光量の比率を７：３程度にすることができ、切り貼り原稿を読み取る際の段差部分の影の発生を防ぐことができる。
【００１５】
請求項５記載の発明によれば、導光体をシリンダ型とすることによって、点光源からの光を副走査方向に集光させることができるとともに、該導光体の組立性を高めることができる。
【００１６】
請求項６記載の発明によれば、画像読取装置によって高精度に読み取られた画像データに基づいて高質画像を安定的に得ることができる。
【発明を実施するための最良の形態】
【００１７】
以下に本発明の実施の形態を添付図面に基づいて説明する。
【００１８】
［画像形成装置］
図１は本発明に係る画像形成装置の一形態としてのカラー複写機の正断面図である。
【００１９】
図１に示すカラー複写機は、本体１００の上部に本発明に係る画像読取装置２０を備え、本体１００の内部中央部には、画像形成手段を構成するマゼンタ画像形成ユニット１Ｍ、シアン画像形成ユニット１Ｃ、イエロー画像形成ユニット１Ｙ及びブラック画像形成ユニット１ＢＫが一定の間隔で一列に配置されている。
【００２０】
画像形成手段である前記各画像形成ユニット１Ｍ，１Ｃ，１Ｙ，１ＢＫには、像担持体としてのドラム型電子写真感光体（以下、「感光ドラム」と称する）２ａ，２ｂ，２ｃ，２ｄがそれぞれ設置されている。そして、各感光ドラム２ａ〜２ｄの周囲には、一次帯電器３ａ，３ｂ，３ｃ，３ｄ、現像装置４ａ，４ｂ，４ｃ，４ｄ、一次転写手段としての転写ローラ５ａ，５ｂ，５ｃ，５ｄ、ドラムクリーニング装置６ａ，６ｂ，６ｃ，６ｄがそれぞれ配置されている。
【００２１】
前記感光ドラム２ａ〜２ｄは、ドラム状のアモルファスシリコン（α−Ｓｉ）感光体であって、不図示の駆動装置によって図示矢印方向（図１において反時計方向）に所定のプロセススピードで回転駆動される。
【００２２】
又、前記一次帯電器３ａ〜３ｄは、不図示の帯電バイアス電源から印加される帯電バイアスによって各感光ドラム２ａ〜２ｄの表面を所定の電位に均一に帯電させるものである。
【００２３】
更に、前記現像装置４ａ〜４ｄは、マゼンタ（Ｍ）トナー、シアン（Ｃ）トナー、イエロー（Ｙ）トナー、ブラック（ＢＫ）トナーをそれぞれ内蔵しており、各感光ドラム２ａ〜２ｄ上に形成される各静電潜像に各色のトナーを付着させて各静電潜像を各色のトナー像として現像（可視像化）するものであって、トナーが消費されて各現像装置４ａ〜４ｄでのトナー残量が一定値未満になったためにトナー補給信号が発せられると、トナー補給装置７ａ，７ｂ，７ｃ，７ｄから各現像装置４ａ〜４ｄに各色のトナーが補給される。尚、各トナー補給装置７ａ〜７ｄは、複写機本体１００に対して着脱可能なカートリッジとして構成されている。
【００２４】
又、一次転写手段としての前記転写ローラ５ａ〜５ｄは、各一次転写部（一次転写ニップ部）にて無端状の中間転写ベルト８を介して各感光ドラム２ａ〜２ｄに当接可能に配置されている。ここで、中間転写ベルト８は、第２の像担持体を構成しており、二次転写対向ローラ９とテンションローラ１０との間に張架されて各感光ドラム２ａ〜２ｄの上面側に走行可能に配置されている。又、前記二次転写対向ローラ９は、二次転写部（二次転写ニップ部）において中間転写ベルト８を介して二次転写ローラ１１に当接可能に配置されている。尚、中間転写ベルト８の材質としては、例えばポリカーボネイト、ポリエチレンテレフタレート（ＰＥＴ）、ポリフッ化ビニリデン（ＰＶｄＦ）等の誘電体樹脂が選定される。又、図示しないが、中間転写ベルト８の外側であって、且つ、テンションローラ１０の近傍には、中間転写ベルト８の表面に残留する転写残トナーを除去するためのベルトクリーニング装置が設置されている。
【００２５】
他方、複写機本体１００の内部の各画像形成ユニット１Ｍ，１Ｃ，１Ｙ，１ＢＫの下方にはレーザースキャナユニット４０が配置され、その下方の本体１００の底部には給紙カセット５０が着脱可能に設置されており、この給紙カセット５０には複数枚の記録材Ｐが積層収納されている。そして、給紙カセット５０の近傍には、給紙カセット５０から記録材Ｐを１枚ずつ搬送パス１２へと送り出すためのピックアップローラ１３が設けられている。
【００２６】
又、複写機本体１００内の一側部に縦方向に配置された前記搬送パス１２は、本体１００の上面に設けられた排紙トレイ１４まで延びており、その途中には給紙ローラ対１５、レジストローラ対１６、定着ローラ１７ａと加圧ローラ１７ｂを有する定着装置１７及び排紙ローラ対１８が設けられている。
【００２７】
次に、以上の構成を有するカラー複写機による画像形成動作について説明する。
【００２８】
画像形成開始信号が発せられると、各画像形成ユニット１Ｍ，１Ｃ，１Ｙ，１ＢＫにおいて各感光ドラム２ａ〜２ｄが所定のプロセススピードで図１の矢印方向に回転駆動され、これらの感光ドラム２ａ〜２ｄは、一次帯電器３ａ〜３ｄによって正極性に一様に帯電される。又、レーザースキャナユニット４０は、画像読取装置２０によって読み取られた原稿画像の各色毎のカラー画像信号によって変調されたレーザー光をレーザー出力部４１から出射し、そのレーザー光をレンズ４２、複数のミラー４３及びレンズ４４を経て各感光ドラム２ａ〜２ｄの表面に投影し、各感光ドラム２ａ〜２ｄ上に各色のカラー画像信号に対応した静電潜像をそれぞれ形成する。
【００２９】
そして、先ずマゼンタ画像形成ユニット１Ｍの感光ドラム２ａ上に形成された静電潜像に、該感光ドラム２ａの帯電極性と同極性の現像バイアスが印加された現像装置４ａにより、マゼンタトナーを付着させて該静電潜像をマゼンタトナー像として可視像化する。このマゼンタトナー像は、感光ドラム２ａと転写ローラ５ａとの間の一次転写部において、トナーと逆極性の一次転写バイアスが印加された転写ローラ５ａの作用によって、図示矢印方向に回転駆動されている中間転写ベルト８上に一次転写される。
【００３０】
上述のようにしてマゼンタトナー像が一次転写された中間転写ベルト８は、次のシアン画像形成ユニット１Ｃヘと移動する。そして、シアン画像形成ユニット１Ｃにおいても、前記と同様にして、感光ドラム２ｂ上に形成されたシアントナー像が一次転写部において中間転写ベルト８上のマゼンタトナー像上に重ね合わせて転写される。
【００３１】
以下同様にして、中間転写ベルト８上に重畳転写されたマゼンタ及びシアントナー像上に、イエロー及びブラック画像形成ユニット１Ｙ，１ＢＫの感光ドラム２ｃ，２ｄ上にそれぞれ形成されたイエロー及びブラックトナー像が各一次転写部において順次重ね合わせられ、中間転写ベルト８上にはフルカラーのトナー像が形成される。尚、中間転写ベルト８上に転写されないで各感光ドラム２ａ〜２ｄ上に残留する転写残トナーは、各ドラムクリーニング装置６ａ〜６ｄによって除去され、不図示の廃トナー搬送手段によって搬送されて各トナー供給装置７ａ〜７ｄに一体に形成されたトナー回収容器に廃トナーとして回収される。
【００３２】
他方、給紙カセット５０からは１枚の記録材Ｐがピックアップローラ１３及び給紙ローラ対１５によって搬送パス１２へと送り出され、この記録材Ｐは、中間転写ベルト８上のフルカラートナー像の先端が二次転写対向ローラ９と二次転写ローラ１１間の二次転写部に達するタイミングに合わせて、レジストローラ対１６によって二次転写部へと搬送される。
【００３３】
そして、二次転写部に搬送された記録材Ｐに、トナーと逆極性の二次転写バイアスが印加された二次転写ローラ１１によって形成される転写電界の作用によってフルカラーのトナー像が中間転写ベルト８から記録材Ｐ上に一括して二次転写される。
【００３４】
而して、フルカラーのトナー像が転写された記録材Ｐは、除電処理されて中間転写ベルト８から静電分離された後、定着装置１７へと搬送される。定着装置１７においては、定着ローラ１７ａと加圧ローラ１７ｂとの間の定着ニップ部でフルカラーのトナー像が加熱及び加圧されて記録材Ｐの表面に熱定着され、トナー像の定着を受けた記録材Ｐが排紙ローラ対１８によって排紙トレイ１４上に排出されることによって一連の画像形成動作が完了する。尚、記録材Ｐ上に転写されないで中間転写ベルト８上に残留する二次転写残トナーは、不図示のベルトクリーニング装置によって除去され、不図示の廃トナー搬送手段によって搬送されて不図示のトナー回収容器に廃トナーとして回収される。
【００３５】
［画像読取装置］
次に、本発明に係る前記画像読取装置２０の構成の詳細を添付図面に基づいて説明する。
【００３６】
＜実施の形態１＞
図２は本発明に係る画像読取装置の正断面図、図３は同画像読取装置の照明系の構成を示す正断面図（図２のＡ部拡大詳細図）である。
【００３７】
本発明に係る画像読取装置２０は、図２に示すように、不図示の原稿が載置される透明なコンタクトガラス２１と、該コンタクトガラス２１上に載置された不図示の原稿の原稿面を読み取る画像読取位置Ｘに向かって光を出射する点光源であるＬＥＤ２２光源と、該ＬＥＤ光源２２から出射される光を画像読取位置Ｘに導くためのシリンダ型の導光体２３と、ＬＥＤ光源２２から出射される光のうち前記導光体２４を通過しない間接光Ｌ’を画像読取位置Ｘに集光させるための凹曲面状の反射板２４と、画像読取位置Ｘで反射した反射光Ｌ”を更に反射させてその方向を変更する複数のミラー２５，２６，２７と、反射光Ｌ”を集光するレンズ２８と、該レンズ２８によって集光された反射光Ｌ”を読み取る光電変換素子（ＣＣＤ）２９を含んで構成されている。尚、ＬＥＤ光源２２から出射されて導光体２３を通過する光Ｌを間接光Ｌ’に対して直接光と称する。
【００３８】
而して、本実施の形態は、図３に示すように、ＬＥＤ光源２２を、導光体２３の中心光軸Ｏ上に配置するとともに、該ＬＥＤ光源２２からの光の出射方向が導光体２３の中心光軸Ｏに対して反射板２４側に図示の角度θだけ傾斜するよう傾けて配置したことを特徴とする。ここで、導光体２３の中心光軸Ｏとは、導光体２３の幅方向中心を通って画像読取位置Ｘに向かう中心線と定義される。
【００３９】
本実施の形態においては、上述のようにＬＥＤ光源２２を、その光の出射方向が中心光軸Ｏに対して反射板２４側に角度θだけ傾斜するよう傾けて配置したため、該ＬＥＤ光源２２から出射された光のうち導光体２３を通過しない間接光Ｌ’の殆どが反射板２４に向かい、該反射板２４によって反射して画像読取位置Ｘへと照射されて画像の読み取りに有効に利用される。このため、ＬＥＤ光源２２の光量の殆ど全てを有効に利用することができ、この結果として当該画像読取装置２０に高い読取性能を確保することができる。
【００４０】
ところで、画像読取位置Ｘでの集光状態は、機械的寸法のバラツキ等を考慮し、３〜４ｍｍ程度の幅で可能な限り均一で且つ照度が高いことが望まれる。
【００４１】
又、ＬＥＤ光源２２から出射される光のうち、導光体２３を通過する直接光Ｌと導光体２３を通過しない間接光Ｌ’の光量の比率は５：５が望ましいが、少なくとも７：３程度に設定する必要がある。
【００４２】
而して、本実施の形態では、ＬＥＤ光源２２の傾斜角θを約１０°に設定することによって、導光体２３を通過する直接光Ｌと導光体２３を通過しない間接光Ｌ’の光量の比率を７：３程度にすることができ、これによって切り貼り原稿を読み取る際の段差部分の影の発生を防ぐことができる。
【００４３】
又、本実施の形態では、シリンダ型の導光体２３を使用したため、ＬＥＤ光源２２から出射される光を副走査方向に集光させることができるとともに、該導光体２３の組立性を高めることができる。
【００４４】
＜実施の形態２＞
次に、本発明の実施の形態２を図４に基づいて説明する。
【００４５】
図４は本実施の形態に係る画像読取装置の照明系の構成を示す正断面図であり、本図においては図３に示したものと同一要素には同一符号を付しており、以下、それらについての再度の説明は省略する。
【００４６】
本実施の形態は、ＬＥＤ光源２２を、導光体２２の中心光軸Ｏに対して平行に反射板２４側に図示のｅだけオフセットした位置に配置したことを特徴とする。
【００４７】
而して、本実施の形態では、上述のようにＬＥＤ光源２２を、導光体２２の中心光軸Ｏに対して平行に反射板２４側に図示のｅだけオフセットした位置に配置したため、ＬＥＤ光源２２から出射された光のうち導光体２３を通過しない間接光Ｌ’の殆どが反射板２４に向かい、該反射板２４によって反射して画像読取位置Ｘへと照射されて画像の読み取りに有効に利用される。このため、ＬＥＤ光源２２の光量の殆ど全てを有効に利用することができ、この結果として当該画像読取装置２０に高い読取性能を確保することができる。  又、本実施の形態では、ＬＥＤ光源２２のオフセット量ｅを約１．５ｍｍ程度に設定することによって、導光体２３を通過する直接光Ｌと導光体２３を通過しない間接光Ｌ’の光量の比率を７：３程度にすることができ、これによって切り貼り原稿を読み取る際の段差部分の影の発生を防ぐことができる。
【００４８】
＜実施の形態３＞
次に、本発明の実施の形態３を図５に基づいて説明する。
【００４９】
図５は本実施の形態に係る画像読取装置の照明系の構成を示す正断面図であり、本図においては図３及び図４に示したものと同一要素には同一符号を付しており、以下、それらについての再度の説明は省略する。
【００５０】
本実施の形態は、前記実施の形態１と実施の形態２を組み合わせたものであって、ＬＥＤ光源２２を、導光体２３の中心光軸Ｏから反射板２４側に図示のｅ’だけオフセットした位置に、該ＬＥＤ光源２２からの光の出射方向が導光体２３の中心光軸Ｏに対して反射板２４側に図示の角度θ’だけ傾斜するよう傾けて配置したことを特徴とする。
【００５１】
而して、本実施の形態においても、ＬＥＤ光源２２から出射された光のうち導光体２３を通過しない間接光Ｌ’の殆どが反射板２４に向かい、該反射板２４によって反射して画像読取位置Ｘへと照射されて画像の読み取りに有効に利用されるため、ＬＥＤ光源２２の光量の殆ど全てを有効に利用することができるという効果の他、前記実施の形態１，２と同様の効果が得られる。
【００５２】
尚、以上は本発明を特にカラー複写機に適用した形態について説明したが、本発明は、カラー複写機のみならず、モノクロ複写機、その他任意の画像形成装置に対して適用可能である。
【図面の簡単な説明】
【００５３】
【図１】本発明に係る画像形成装置（カラー複写機）の正断面図である。
【図２】本発明に係る画像読取装置の正断面図である。
【図３】本発明の実施の形態１に係る画像読取装置の照明系の正断面図（図２のＡ部拡大詳細図）である。
【図４】本発明の実施の形態２に係る画像読取装置の照明系の正断面図である。
【図５】本発明の実施の形態３に係る画像読取装置の照明系の正断面図である。
【図６】従来の画像読取装置の照明系の正断面図である。
【符号の説明】
【００５４】
１Ｍ，１Ｃ，１Ｙ，１ＢＫ    画像形成ユニット
２ａ，２ｂ，２ｃ，２ｄ      感光ドラム（像担持体）
３ａ，３ｂ，３ｃ，３ｄ      一次帯電器
４ａ，４ｂ，４ｃ，４ｄ      現像装置
５ａ，５ｂ，５ｃ，５ｄ      転写ローラ（転写手段）
６ａ，６ｂ，６ｃ，６ｄ      ドラムクリーニング装置
７ａ，７ｂ，７ｃ，７ｄ      トナー補給装置
８                          中間転写ベルト（像担持体）
９                          二次転写対向ローラ
１０                        テンションローラ
１１                        二次転写ローラ（転写手段）
１２                        搬送パス
１３                        ピックアップローラ
１４                        排紙トレイ
１５                        給紙ローラ対
１６                        レジストローラ対
１７                        定着装置
１７ａ                      定着ローラ
１７ｂ                      加圧ローラ
１８                        排紙ローラ対
２０                        画像読取装置
２１                        コンタクトガラス
２２                        ＬＥＤ光源（点光源）
２３                        導光体
２４                        反射板
２５〜２７                  ミラー
２８                        レンズ
２９                        光電変換素子（ＣＣＤ）
４０                        レーザースキャナユニット
５０                        給紙カセット
１００                      複写機本体
ｅ，ｅ’                    ＬＥＤ光源のオフセット量
Ｌ                          直接光
Ｌ’                        間接光
Ｌ”                        反射光
Ｏ                          導光体の中心光軸
Ｐ                          記録材
Ｘ                          画像読取位置
θ，θ’                    ＬＥＤ光源の傾斜角
【図１】
2008035043.tif 000003
【図２】
2008035043.tif 000004
【図３】
2008035043.tif 000005
【図４】
2008035043.tif 000006
【図５】
2008035043.tif 000007
【図６】
2008035043.tif 000008